【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
被写体を放射線撮影するための制御装置であって、
一連の放射線画像が前記被写体の異なる側面において撮像されるように撮像手段による撮影を制御する撮影制御手段と、
前記一連の放射線画像の取得が中断されたことを検出する検出手段と、
前記検出手段により中断が検出されたとき、前記一連の放射線画像の取得動作を継続させるか否かをユーザに指定させるためのユーザインタフェースを表示手段に表示させるユーザインタフェース手段と、
を備えることを特徴とする制御装置。
【請求項２】
前記撮影制御手段は、前記被写体への放射線の照射を指示する照射スイッチがオン状態の間、前記一連の放射線画像の取得を実行し、
前記検出手段は、前記一連の放射線画像の取得の間に前記照射スイッチがオフ状態となった場合に、前記中断されたことを検出することを特徴とする請求項１に記載の制御装置。
【請求項３】
前記制御装置は、
前記一連の放射線画像の各々が、前記被写体の全体画像を形成するために、合成の特定条件を満たすか否かを判断する画像処理手段を更に備え、
前記ユーザインタフェース手段は、前記一連の撮像された放射線画像の少なくとも１つが前記特定条件を満たす場合、前記一連の放射線画像の取得動作を継続させるか否かをユーザに指定させることを特徴とする請求項１に記載の制御装置。
【請求項４】
前記撮影制御手段は、前記一連の放射線画像の撮影が実施される毎に、カウントし、
前記画像処理手段は、前記カウントされたカウント値が前記一連の放射線画像の全撮影枚数と一致したとき、前記一連の放射線画像の全てを合成した合成画像を生成し、
前記ユーザインタフェース手段は、前記合成画像を表示手段に表示させることを特徴とする請求項３に記載の制御装置。
【請求項５】
前記撮影制御手段が、放射線の照射領域と前記一連の放射線画像と撮像手段の前記被写体に対する回転角度の情報に基づき、撮影に必要な全撮影枚数を算出することを特徴とする請求項１に記載の制御装置。
【請求項６】
前記撮影制御手段へ情報を送信し、または前記撮影制御手段から情報を受信する第１の通信制御手段を含む放射線照射手段と、
前記放射線照射手段へ情報を送信し、または前記放射線照射手段から情報を受信する第２の通信制御手段と、
をさらに備えることを特徴とする請求項１に記載の制御装置。
【請求項７】
前記第２の通信制御手段が、前記撮像手段の最大撮影領域と前記一連の放射線画像に関する情報を前記第１の通信制御手段へ通知し、
前記撮影制御手段が、前記第１の通信制御手段によって受信された前記撮像手段の最大撮影領域に基づき、前記放射線照射手段の照射領域と前記撮像手段の前記被写体に対する回転角度を決定し、更に、前記照射領域と前記一連の放射線画像と前記撮像手段の前記被写体に対する回転角度との情報に基づき、撮影に必要な全撮影枚数を算出し、
前記第１の通信制御手段が、前記全撮影枚数と前記一連の放射線画像の各々に対応する撮影番号を示す情報と、該撮影番号に対する前記撮像手段の前記被写体に対する回転角度を含む撮影条件を第２の通信制御手段へ通知することを特徴とする請求項６に記載の制御装置。
【請求項８】
前記第１の通信制御手段が、前記検出手段によって検知された結果を前記第２の通信制御手段へ通知し、
前記第２の通信制御手段が前記放射線画像の取得の中断を受信した場合、前記ユーザインタフェース手段が、前記一連の放射線画像の取得動作を継続させるか否かをユーザに指定させることを特徴とする請求項６に記載の制御装置。
【請求項９】
前記ユーザインタフェース手段が前記ユーザから継続の指定を受けた場合に、前記第２の通信制御手段が、前記指定された情報を前記第１の通信制御手段へ通知し、
前記撮影制御手段が、前記第１の通信制御手段が受信した指定された情報に基づき、撮影番号を含む次の撮影に必要な情報を決定し、
前記第１の通信制御手段が、前記撮影番号を含む前記撮影に必要な情報を前記第２の通信制御手段へ通知し、
前記撮影制御手段が、前記撮影番号を含む前記撮影に必要な情報に従って、撮影の継続を実行することを特徴とする請求項６に記載の制御装置。
【請求項１０】
前記ユーザインタフェース手段が前記ユーザから中止の指定を受けた場合に、前記第２の通信制御手段が、その指定された情報を前記第１の通信制御手段へ通知し、
前記撮影制御手段が、前記第１の通信制御手段が受信した指定された情報に基づき、撮影の中止を実行することを特徴とする請求項６に記載の制御装置。
【請求項１１】
前記ユーザインタフェース手段は、前記一連の放射線画像が前記被写体の合成画像を形成するための画像である場合、表示手段にユーザインタフェースを表示することを特徴とする請求項１に記載の制御装置。
【請求項１２】
前記ユーザインタフェース手段は、前記一連の放射線画像が、分割撮影、長尺撮影、およびスティッチ撮影から成るグループから選択された少なくとも１つとして撮像される場合、ユーザインタフェースを表示することを特徴とする請求項１に記載の制御装置。
【請求項１３】
前記撮影制御手段は、前記一連の放射線画像の残りの取得動作の継続が、前記ユーザインタフェースを介して指定された場合、撮像されたままである前記一連の放射線画像の残りのうちの１つについて撮影条件を設定することを特徴とする請求項１に記載の制御装置。
【請求項１４】
前記撮影制御手段は、前記一連の放射線画像が長尺撮影またはスティッチ撮影として撮像されるなら、最後に撮像された放射線画像の次に配置される放射線画像について、前記撮像手段の位置情報を含む撮影条件を設定することを特徴とする請求項１３に記載の制御装置。
【請求項１５】
前記撮影制御手段は、前記ユーザインタフェースを介した継続指定に応じて、前記撮影条件に対応する撮像準備を実行することを特徴とする請求項１３に記載の制御装置。
【請求項１６】
前記撮影制御手段は、前記一連の放射線画像のうち第１の画像の撮像に応じて、前記第１の画像の次に撮像されるべきと判定された前記一連の放射線画像の残りのうちの第２の画像についての撮影条件に対応する撮像準備を実行することを特徴とする請求項１に記載の制御装置。
【請求項１７】
前記ユーザインタフェース手段は、前記一連の放射線画像の取得動作を継続するか否か、あるいは、撮像された放射線画像の少なくとも１つを再取得するか否かをユーザに指定させるユーザインタフェースを表示することを特徴とする請求項１に記載の制御装置。
【請求項１８】
発生装置における放射線の照射領域の指定手段により指定された照射領域を取得する取得手段と、
前記照射領域と撮像センサの情報とに基づいて撮影回数を決定する決定手段と、を更に有し、
前記撮影制御手段は、前記決定された撮影回数に分けて被写体を撮影するために前記撮像センサを制御する
ことを特徴とする請求項１に記載の制御装置。
【請求項１９】
発生装置における放射線の照射領域の指定手段により指定された照射領域を取得する取得手段と、
前記照射領域と撮像センサの情報とに基づいて撮影回数を決定する決定手段と、
前記決定された撮影回数に分けて被写体を撮影するために前記撮像センサを制御する制御手段と、
を有することを特徴とする制御装置。
【請求項２０】
被写体を放射線撮影するための制御方法であって、
一連の放射線画像が前記被写体の異なる側面において取得されるように撮像手段を制御する撮影制御工程と、
前記一連の放射線画像の取得が中断されたことを検出する検出工程と、
前記中断が検出されたとき、前記一連の放射線画像の取得動作を継続させるか否かをユーザに指定させるユーザインタフェースを表示する工程と、
を備えることを特徴とする制御方法。
【請求項２１】
被写体を複数の撮影に分けて放射線撮影するための制御方法であって、
発生装置における放射線の照射領域の指定手段により指定された照射領域を取得するステップと、
前記照射領域と撮像センサの情報とに基づいて撮影回数を決定するステップと、
前記決定された撮影回数に分けて被写体を撮影するために前記撮像センサを制御するステップと、
を有することを特徴とする制御方法。
【手続補正２】
【補正対象書類名】明細書
【補正対象項目名】発明の名称
【補正方法】変更
【補正の内容】
【発明の名称】制御装置および制御方法